【手続補正書】
【提出日】平成30年5月24日(2018.5.24)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
前記ビデオデータの第１のブロックを受信することと、
前記第１のブロックのための量子化パラメータを決定するための情報を受信することと、
前記第１のブロックが前記第１のブロックの残差データについての色空間変換モードを使ってコーディングされていると決定したことに応答して、前記第１のブロックのための前記量子化パラメータを修正することと、
前記第１のブロックのための前記修正された量子化パラメータに基づいて、前記第１のブロックについての量子化解除プロセスを実施することと、
前記ビデオデータの第２のブロックを受信することと、ここにおいて、前記第２のブロックは、前記第１のブロックに続く、
前記第２のブロックについて、前記第２のブロックのための量子化パラメータと前記第１のブロックのための未修正の前記量子化パラメータとの間の差分を示す差分値を受信することと、
前記受信された差分値および前記第１のブロックのための未修正の前記量子化パラメータに基づいて、前記第２のブロックのための前記量子化パラメータを決定することと、
前記色空間変換モードがビデオデータの前記第２のブロックに関して有効にされている、と決定したことに応答して、前記第２のブロックのための前記決定された量子化パラメータを修正することと、
前記第２のブロックのための前記決定された量子化パラメータに基づいて前記第２のブロックを復号することと、
を備え、ここにおいて、前記第２のブロックのための前記決定された量子化パラメータに基づいて前記第２のブロックを復号することは、
前記第２のブロックのための前記修正された量子化パラメータに基づいて前記第２のブロックについての量子化解除プロセスを実施すること
を備える、方法。
【請求項２】
前記第２のブロックのための前記決定された量子化パラメータに基づいて前記第２のブロックを復号することは、
前記色空間変換モードが前記第２のブロックに関して無効にされている、と決定したことに応答して、前記第２のブロックのための前記決定された量子化パラメータに基づいて前記第２のブロックについての量子化解除プロセスを実施することを備える、
請求項１に記載の方法。
【請求項３】
ビデオデータの前記第１のブロックが前記第１のブロックの残差データについての前記色空間変換モードを使ってコーディングされている、と決定するための、前記第１のブロックについてのフラグを受信することをさらに備える、請求項１に記載の方法。
【請求項４】
前記第１のブロックのための前記量子化パラメータを決定するための情報を受信することは、前記第１のブロックのための前記量子化パラメータについての初期値を受信することを備え、ここにおいて、前記初期値を受信することは、好ましくは、スライスレベルで、前記量子化パラメータについての前記初期値を受信することを備える、請求項１に記載の方法。
【請求項５】
前記第２のブロックのための前記量子化パラメータと前記第１のブロックのための前記量子化パラメータとの間の前記差分を示す前記差分値を、コーディングされたユニットレベルで受信することをさらに備える、および／または、
前記第２のブロックのための前記量子化パラメータと前記第１のブロックのための前記量子化パラメータとの間の前記差分を示す前記差分値を受信することは、前記差分の絶対値を示すシンタックス要素を受信することと、前記差分の符号を示すシンタックス要素を受信することとを備える、請求項１に記載の方法。
【請求項６】
ビデオデータを符号化する方法であって、
ビデオデータの第１のブロックのための量子化パラメータを決定することと、
ビデオデータの前記第１のブロックが前記第１のブロックの残差データについての色空間変換モードを使ってコーディングされている、と決定したことに応答して、前記第１のブロックのための前記量子化パラメータを修正することと、
前記第１のブロックのための前記修正された量子化パラメータに基づいて、前記第１のブロックについての量子化プロセスを実施することと、
ビデオデータの第２のブロックのための量子化パラメータを決定することと、ここにおいて、前記第２のブロックは、前記第１のブロックに続く、
前記第１のブロックのための未修正の前記量子化パラメータと前記第２のブロックのための前記量子化パラメータとの間の差分値をシグナリングすることと、
色空間変換モードがビデオデータの前記第２のブロックに関して有効にされている、と決定したことに応答して、前記第２のブロックのための前記量子化パラメータを修正すること、
前記第２のブロックのための前記修正された量子化パラメータに基づいて前記第２のブロックについての量子化プロセスを実施することと
を備える方法。
【請求項７】
色空間変換モードがビデオデータの前記第２のブロックに関して無効にされている、と決定したことに応答して、前記第２のブロックのための前記量子化パラメータに基づいて前記第２のブロックについての量子化プロセスを実施することをさらに備える、請求項６に記載の方法。
【請求項８】
ビデオデータの前記第１のブロックが前記第１のブロックの残差データについての前記色空間変換モードを使ってコーディングされているかどうかを示すための、前記第１のブロックについてのフラグを生成することをさらに備える、請求項６に記載の方法。
【請求項９】
ビデオデータの前記第１のブロックのための前記量子化パラメータを決定することは、前記第１のブロックのための前記量子化パラメータについての初期値を決定することを備え、前記方法は、
前記初期値を、前記第１のブロックを備えるスライス用のスライスヘッダ中でシグナリングすることをさらに備える、請求項６に記載の方法。
【請求項１０】
前記第２のブロックのための前記量子化パラメータと前記第１のブロックのための前記量子化パラメータとの間の前記差分を示す前記差分値を、コーディングされたユニットレベルでシグナリングすることをさらに備える、および／または、
前記第２のブロックのための前記量子化パラメータと前記第１のブロックのための前記量子化パラメータとの間の前記差分を示す前記差分値をシグナリングすることは、前記差分の絶対値を示すシンタックス要素を生成することと、前記差分の符号を示すシンタックス要素を生成することとを備える、
請求項６に記載の方法。
【請求項１１】
前記第１のブロックのための前記修正された量子化パラメータに基づいて、デブロックフィルタリングプロセスのための境界強度パラメータを決定することと、
前記第１のブロックに関して前記デブロックフィルタリングプロセスを実施することと、
をさらに備える、請求項１または請求項６に記載の方法。
【請求項１２】
ビデオデータを復号するためのデバイスであって、
ビデオデータを記憶するように構成されたメモリと、
１つまたは複数のプロセッサとを備え、前記１つまたは複数のプロセッサは、
前記ビデオデータの第１のブロックを受信することと、
前記第１のブロックのための量子化パラメータを決定するための情報を受信することと、
前記第１のブロックが前記第１のブロックの残差データについての色空間変換モードを使ってコーディングされている、と決定したことに応答して、前記第１のブロックのための前記量子化パラメータを修正することと、
前記第１のブロックのための前記修正された量子化パラメータに基づいて、前記第１のブロックについての量子化解除プロセスを実施することと、
前記ビデオデータの第２のブロックを受信することと、ここにおいて、前記第２のブロックは、前記第１のブロックに続く、
前記第２のブロックについて、前記第２のブロックのための量子化パラメータと前記第１のブロックのための未修正の前記量子化パラメータとの間の差分を示す差分値を受信することと、
前記受信された差分値および前記第１のブロックのための未修正の前記量子化パラメータに基づいて、前記第２のブロックのための前記量子化パラメータを決定することと、
前記色空間変換モードがビデオデータの前記第２のブロックに関して有効にされている、と決定したことに応答して、前記第２のブロックのための前記決定された量子化パラメータを修正することと、
前記第２のブロックのための前記決定された量子化パラメータに基づいて、前記第２のブロックを復号することと、ここにおいて、前記第２のブロックのための前記決定された量子化パラメータに基づいて、前記第２のブロックを復号するために、前記１つまたは複数のプロセッサは、前記第２のブロックのための前記修正された量子化パラメータに基づいて、前記第２のブロックについての量子化解除プロセスを実施する、
を行うように構成される、デバイス。
【請求項１３】
ビデオデータを符号化するためのデバイスであって、
ビデオデータを記憶するように構成されたメモリと、
１つまたは複数のプロセッサとを備え、前記１つまたは複数のプロセッサは、
ビデオデータの第１のブロックのための量子化パラメータを決定することと、
ビデオデータの前記第１のブロックが前記第１のブロックの残差データについての色空間変換モードを使ってコーディングされている、と決定したことに応答して、前記第１のブロックのための前記量子化パラメータを修正することと、
前記第１のブロックのための前記修正された量子化パラメータに基づいて、前記第１のブロックについての量子化プロセスを実施することと、
ビデオデータの第２のブロックのための量子化パラメータを決定することと、ここにおいて、前記第２のブロックは、前記第１のブロックに続く、
前記第１のブロックのための未修正の前記量子化パラメータと前記第２のブロックのための前記量子化パラメータとの間の差分値をシグナリングすることと、
色空間変換モードがビデオデータの前記第２のブロックに関して有効にされている、と決定したことに応答して、前記第２のブロックのための前記量子化パラメータを修正することと、
前記第２のブロックのための前記修正された量子化パラメータに基づいて前記第２のブロックについての量子化プロセスを実施することと
を行うように構成される、デバイス。
【請求項１４】
前記デバイスは、
マイクロプロセッサ、
集積回路（ＩＣ）、または
前記ビデオエンコーダを備えるワイヤレス通信デバイスのうちの少なくとも１つを備える、
請求項１２または請求項１３に記載のデバイス。
【請求項１５】
命令を記憶するコンピュータ可読記憶媒体であって、前記命令は、１つまたは複数のプロセッサによって実行されたときに、前記１つまたは複数のプロセッサに、請求項１−１１のうちのいずれかに記載の方法を実行させる、コンピュータ可読記憶媒体。
【手続補正２】
【補正対象書類名】明細書
【補正対象項目名】０２１９
【補正方法】変更
【補正の内容】
【０２１９】
[0227]本開示の様々な例について説明した。説明されたシステム、動作、または機能の任意の組合せが企図される。これらおよび他の例は、以下の特許請求の範囲の範囲内に入る。
以下に本願発明の当初の特許請求の範囲に記載された発明を付記する。
［Ｃ１］
ビデオデータを復号する方法であって、
前記ビデオデータの第１のブロックを受信することと、
前記第１のブロックのための量子化パラメータを決定するための情報を受信することと、
前記第１のブロックが前記第１のブロックの残差データについての色空間変換モードを使ってコーディングされていると決定したことに応答して、前記第１のブロックのための前記量子化パラメータを修正することと、
前記第１のブロックのための前記修正された量子化パラメータに基づいて、前記第１のブロックについての量子化解除プロセスを実施することと、
前記ビデオデータの第２のブロックを受信することと、
前記第２のブロックについて、前記第２のブロックのための量子化パラメータと前記第１のブロックのための前記量子化パラメータとの間の差分を示す差分値を受信することと、
前記受信された差分値および前記第１のブロックのための前記量子化パラメータに基づいて、前記第２のブロックのための前記量子化パラメータを決定することと、
前記第２のブロックのための前記決定された量子化パラメータに基づいて、前記第２のブロックを復号することと、
を備える方法。
［Ｃ２］
前記色空間変換モードがビデオデータの前記第２のブロックに対して有効にされていると決定したことに応答して、前記第２のブロックのための前記決定された量子化パラメータを修正することをさらに備え、
前記第２のブロックのための前記決定された量子化パラメータに基づいて前記第２のブロックを復号することは、
前記第２のブロックのための前記修正された量子化パラメータに基づいて前記第２のブロックについての量子化解除プロセスを実施することを備える、
Ｃ１に記載の方法。
［Ｃ３］
前記第２のブロックのための前記決定された量子化パラメータに基づいて前記第２のブロックを復号することは、
前記色空間変換モードが前記第２のブロックに対して無効にされていると決定したことに応答して、前記第２のブロックのための前記決定された量子化パラメータに基づいて前記第２のブロックについての量子化解除プロセスを実施することを備える、
Ｃ１に記載の方法。
［Ｃ４］
ビデオデータの前記第１のブロックが前記第１のブロックの残差データについての前記色空間変換モードを使ってコーディングされていると決定するための、前記第１のブロックについてのフラグを受信することをさらに備える、Ｃ１に記載の方法。
［Ｃ５］
前記第１のブロックのための前記量子化パラメータを決定するための情報を受信することは、前記第１のブロックのための前記量子化パラメータについての初期値を受信することを備える、Ｃ１に記載の方法。
［Ｃ６］
前記初期値を受信することは、スライスレベルで、前記量子化パラメータについての前記初期値を受信することを備える、Ｃ５に記載の方法。
［Ｃ７］
前記第２のブロックのための前記量子化パラメータと前記第１のブロックのための前記量子化パラメータとの間の前記差分を示す前記差分値を、コーディングされたユニットレベルで受信することをさらに備える、Ｃ１に記載の方法。
［Ｃ８］
前記第２のブロックのための前記量子化パラメータと前記第１のブロックのための前記量子化パラメータとの間の前記差分を示す前記差分値を受信することは、前記差分の絶対値を示すシンタックス要素を受信することと、前記差分の符号を示すシンタックス要素を受信することとを備える、Ｃ１に記載の方法。
［Ｃ９］
前記第１のブロックのための前記修正された量子化パラメータに基づいて、デブロックフィルタリングプロセスのための境界強度パラメータを決定することと、
前記第１のブロックに対して前記デブロックフィルタリングプロセスを実施することと、
をさらに備える、Ｃ１に記載の方法。
［Ｃ１０］
ビデオデータを符号化する方法であって、
ビデオデータの第１のブロックのための量子化パラメータを決定することと、
ビデオデータの前記第１のブロックが前記第１のブロックの残差データについての色空間変換モードを使ってコーディングされていると決定したことに応答して、前記第１のブロックのための前記量子化パラメータを修正することと、
前記第１のブロックのための前記修正された量子化パラメータに基づいて、前記第１のブロックについての量子化プロセスを実施することと、
ビデオデータの第２のブロックのための量子化パラメータを決定することと、
前記第１のブロックのための前記量子化パラメータと前記第２のブロックのための前記量子化パラメータとの間の差分値をシグナリングすることと、
を備える方法。
［Ｃ１１］
色空間変換モードがビデオデータの前記第２のブロックに対して有効にされていると決定したことに応答して、前記第２のブロックのための前記量子化パラメータを修正すること、
前記第２のブロックのための前記修正された量子化パラメータに基づいて前記第２のブロックについての量子化プロセスを実施すること、
をさらに備える、Ｃ１０に記載の方法。
［Ｃ１２］
色空間変換モードがビデオデータの前記第２のブロックに対して無効にされていると決定したことに応答して、前記第２のブロックのための前記量子化パラメータに基づいて前記第２のブロックについての量子化プロセスを実施することをさらに備える、Ｃ１０に記載の方法。
［Ｃ１３］
ビデオデータの前記第１のブロックが前記第１のブロックの残差データについての前記色空間変換モードを使ってコーディングされているかどうかを示すための、前記第１のブロックについてのフラグを生成することをさらに備える、Ｃ１０に記載の方法。
［Ｃ１４］
ビデオデータの前記第１のブロックのための前記量子化パラメータを決定することは、前記第１のブロックのための前記量子化パラメータについての初期値を決定することを備え、前記方法は、
前記初期値を、前記第１のブロックを備えるスライス用のスライスヘッダ中でシグナリングすることをさらに備える、Ｃ１０に記載の方法。
［Ｃ１５］
前記第２のブロックのための前記量子化パラメータと前記第１のブロックのための前記量子化パラメータとの間の前記差分を示す前記差分値を、コーディングされたユニットレベルでシグナリングすることをさらに備える、Ｃ１０に記載の方法。
［Ｃ１６］
前記第２のブロックのための前記量子化パラメータと前記第１のブロックのための前記量子化パラメータとの間の前記差分を示す前記差分値をシグナリングすることは、前記差分の絶対値を示すシンタックス要素を生成することと、前記差分の符号を示すシンタックス要素を生成することとを備える、Ｃ１０に記載の方法。
［Ｃ１７］
前記第１のブロックのための前記修正された量子化パラメータに基づいて、デブロックフィルタリングプロセスのための境界強度パラメータを決定することと、
前記第１のブロックに対して前記デブロックフィルタリングプロセスを実施することと、
をさらに備える、Ｃ１０に記載の方法。
［Ｃ１８］
ビデオデータを復号するためのデバイスであって、
ビデオデータを記憶するように構成されたメモリと、
１つまたは複数のプロセッサとを備え、前記１つまたは複数のプロセッサは、
前記ビデオデータの第１のブロックを受信することと、
前記第１のブロックのための量子化パラメータを決定するための情報を受信することと、
前記第１のブロックが前記第１のブロックの残差データについての色空間変換モードを使ってコーディングされていると決定したことに応答して、前記第１のブロックのための前記量子化パラメータを修正することと、
前記第１のブロックのための前記修正された量子化パラメータに基づいて、前記第１のブロックについての量子化解除プロセスを実施することと、
前記ビデオデータの第２のブロックを受信することと、
前記第２のブロックについて、前記第２のブロックのための量子化パラメータと前記第１のブロックのための前記量子化パラメータとの間の差分を示す差分値を受信することと、
前記受信された差分値および前記第１のブロックのための前記量子化パラメータに基づいて、前記第２のブロックのための前記量子化パラメータを決定することと、
前記第２のブロックのための前記決定された量子化パラメータに基づいて、前記第２のブロックを復号することと、
を行うように構成される、デバイス。
［Ｃ１９］
前記１つまたは複数のプロセッサは、
前記色空間変換モードがビデオデータの前記第２のブロックに対して有効にされていると決定したことに応答して、前記第２のブロックのための前記決定された量子化パラメータを修正するようにさらに構成され、
前記第２のブロックのための前記決定された量子化パラメータに基づいて前記第２のブロックを復号するために、前記１つまたは複数のプロセッサは、前記第２のブロックのための前記修正された量子化パラメータに基づいて、前記第２のブロックについての量子化解除プロセスを実施する、
Ｃ１８に記載のデバイス。
［Ｃ２０］
前記第２のブロックのための前記決定された量子化パラメータに基づいて前記第２のブロックを復号するために、前記１つまたは複数のプロセッサは、
前記色空間変換モードが前記第２のブロックに対して無効にされていると決定したことに応答して、前記第２のブロックのための前記決定された量子化パラメータに基づいて、前記第２のブロックについての量子化解除プロセスを実施するように構成される、
Ｃ１８に記載のデバイス。
［Ｃ２１］
前記１つまたは複数のプロセッサは、
ビデオデータの前記第１のブロックが前記第１のブロックの残差データについての前記色空間変換モードを使ってコーディングされていると決定するための、前記第１のブロックについてのフラグを受信するようにさらに構成される、
Ｃ１８に記載のデバイス。
［Ｃ２２］
前記第１のブロックのための前記量子化パラメータを決定するための情報を受信するために、前記１つまたは複数のプロセッサは、前記第１のブロックのための前記量子化パラメータについての初期値を受信する、Ｃ１８に記載のデバイス。
［Ｃ２３］
前記初期値を受信するために、前記１つまたは複数のプロセッサは、スライスレベルで、前記量子化パラメータについての前記初期値を受信する、Ｃ２２に記載のデバイス。
［Ｃ２４］
前記１つまたは複数のプロセッサは、
前記第２のブロックのための前記量子化パラメータと前記第１のブロックのための前記量子化パラメータとの間の前記差分を示す前記差分値を、コーディングされたユニットレベルで受信するようにさらに構成される、Ｃ１８に記載のデバイス。
［Ｃ２５］
前記第２のブロックのための前記量子化パラメータと前記第１のブロックのための前記量子化パラメータとの間の前記差分を示す前記差分値を受信するために、前記１つまたは複数のプロセッサは、前記差分の絶対値を示すシンタックス要素を受信し、前記差分の符号を示すシンタックス要素を受信する、Ｃ１８に記載のデバイス。
［Ｃ２６］
前記１つまたは複数のプロセッサは、
前記第１のブロックのための前記修正された量子化パラメータに基づいて、デブロックフィルタリングプロセスのための境界強度パラメータを決定することと、
前記第１のブロックに対して前記デブロックフィルタリングプロセスを実施することと、
を行うようにさらに構成される、Ｃ１８に記載のデバイス。
［Ｃ２７］
前記デバイスは、
マイクロプロセッサ、
集積回路（ＩＣ）、および
前記ビデオデコーダを備えるワイヤレス通信デバイスのうちの１つを備える、
Ｃ１８に記載のデバイス。
［Ｃ２８］
ビデオデータを符号化するためのデバイスであって、
ビデオデータを記憶するように構成されたメモリと、
１つまたは複数のプロセッサとを備え、前記１つまたは複数のプロセッサは、
ビデオデータの第１のブロックのための量子化パラメータを決定することと、
ビデオデータの前記第１のブロックが前記第１のブロックの残差データについての色空間変換モードを使ってコーディングされていると決定したことに応答して、前記第１のブロックのための前記量子化パラメータを修正することと、
前記第１のブロックのための前記修正された量子化パラメータに基づいて、前記第１のブロックについての量子化プロセスを実施することと、
ビデオデータの第２のブロックのための量子化パラメータを決定することと、
前記第１のブロックのための前記量子化パラメータと前記第２のブロックのための前記量子化パラメータとの間の差分値をシグナリングすることと、
を行うように構成される、デバイス。
［Ｃ２９］
前記１つまたは複数のプロセッサは、
色空間変換モードがビデオデータの前記第２のブロックに対して有効にされていると決定したことに応答して、前記第２のブロックのための前記量子化パラメータを修正すること、
前記第２のブロックのための前記修正された量子化パラメータに基づいて前記第２のブロックについての量子化プロセスを実施すること、
を行うようにさらに構成される、Ｃ２８に記載のデバイス。
［Ｃ３０］
前記１つまたは複数のプロセッサは、
色空間変換モードがビデオデータの前記第２のブロックに対して無効にされていると決定したことに応答して、前記第２のブロックのための前記量子化パラメータに基づいて前記第２のブロックについての量子化プロセスを実施するようにさらに構成される、
Ｃ２８に記載のデバイス。
［Ｃ３１］
前記１つまたは複数のプロセッサは、
ビデオデータの前記第１のブロックが前記第１のブロックの残差データについての前記色空間変換モードを使ってコーディングされているかどうかを示すための、前記第１のブロックについてのフラグを生成するようにさらに構成される、
Ｃ２８に記載のデバイス。
［Ｃ３２］
ビデオデータの前記第１のブロックのための前記量子化パラメータを決定することは、前記第１のブロックのための前記量子化パラメータについての初期値を決定することを備え、前記１つまたは複数のプロセッサは、
前記初期値を、前記第１のブロックを備えるスライス用のスライスヘッダ中でシグナリングするようにさらに構成される、
Ｃ２８に記載のデバイス。
［Ｃ３３］
前記１つまたは複数のプロセッサは、
前記第２のブロックのための前記量子化パラメータと前記第１のブロックのための前記量子化パラメータとの間の前記差分を示す前記差分値を、コーディングされたユニットレベルでシグナリングするようにさらに構成される、
Ｃ２８に記載のデバイス。
［Ｃ３４］
前記第２のブロックのための前記量子化パラメータと前記第１のブロックのための前記量子化パラメータとの間の前記差分を示す前記差分値をシグナリングするために、前記１つまたは複数のプロセッサは、前記差分の絶対値を示すシンタックス要素を生成することと、前記差分の符号を示すシンタックス要素を生成することを行うようにさらに構成される、Ｃ２８に記載のデバイス。
［Ｃ３５］
前記１つまたは複数のプロセッサは、
前記第１のブロックのための前記修正された量子化パラメータに基づいて、デブロックフィルタリングプロセスのための境界強度パラメータを決定することと、
前記第１のブロックに対して前記デブロックフィルタリングプロセスを実施することと、
を行うようにさらに構成される、Ｃ２８に記載のデバイス。
［Ｃ３６］
前記デバイスは、
マイクロプロセッサ、
集積回路（ＩＣ）、または
前記ビデオエンコーダを備えるワイヤレス通信デバイスのうちの少なくとも１つを備える、
Ｃ２８に記載のデバイス。
［Ｃ３７］
ビデオ復号のための装置であって、
ビデオデータの第１のブロックを受信するための手段と、
前記第１のブロックのための量子化パラメータを決定するための情報を受信するための手段と、
前記第１のブロックが前記第１のブロックの残差データについての色空間変換モードを使ってコーディングされていると決定したことに応答して、前記第１のブロックのための前記量子化パラメータを修正するための手段と、
前記第１のブロックのための前記修正された量子化パラメータに基づいて、前記第１のブロックについての量子化解除プロセスを実施するための手段と、
前記ビデオデータの第２のブロックを受信するための手段と、
前記第２のブロックについて、前記第２のブロックのための量子化パラメータと前記第１のブロックのための前記量子化パラメータとの間の差分を示す差分値を受信するための手段と、
前記受信された差分値および前記第１のブロックのための前記量子化パラメータに基づいて、前記第２のブロックのための前記量子化パラメータを決定するための手段と、
前記第２のブロックのための前記決定された量子化パラメータに基づいて、前記第２のブロックを復号するための手段と、
を備える装置。
［Ｃ３８］
命令を記憶するコンピュータ可読記憶媒体であって、前記命令は、１つまたは複数のプロセッサによって実行されたときに、前記１つまたは複数のプロセッサに、
ビデオデータの第１のブロックを受信することと、
前記第１のブロックのための量子化パラメータを決定するための情報を受信することと、
前記第１のブロックが前記第１のブロックの残差データについての色空間変換モードを使ってコーディングされていると決定したことに応答して、前記第１のブロックのための前記量子化パラメータを修正することと、
前記第１のブロックのための前記修正された量子化パラメータに基づいて、前記第１のブロックについての量子化解除プロセスを実施することと、
前記ビデオデータの第２のブロックを受信することと、
前記第２のブロックについて、前記第２のブロックのための量子化パラメータと前記第１のブロックのための前記量子化パラメータとの間の差分を示す差分値を受信することと、
前記受信された差分値および前記第１のブロックのための前記量子化パラメータに基づいて、前記第２のブロックのための前記量子化パラメータを決定することと、
前記第２のブロックのための前記決定された量子化パラメータに基づいて、前記第２のブロックを復号することと、
を行わせる、コンピュータ可読記憶媒体。